(57)【特許請求の範囲】
【請求項１】
移動局と前記移動局と通信する基地局との無通信時間に、前記移動局と前記通信する基地局以外の他基地局間の電波を測定するステップと、
前記電波の測定が完了したか否かに応じて、前記無通信時間を変更するステップと、
を有し、
前記測定が完了し、かつ、第１の無通信時間が、測定時間に比べ大きすぎることを検出する閾値以下である場合、複数回前記電波を測定した時間の最大値に、測定時間よりも無通信時間が小さくなってしまうことを避けるために設けられたオフセット時間を加えた、前記第１の無通信時間よりも小さい第２の無通信時間を算出することを特徴とする移動通信方法。
【請求項２】
前記測定が未完了である場合、前記測定に必要な時間と、前記無通信時間の終了時間と、に基づいて、前記無通信時間を増やすことを特徴とする請求項１記載の移動通信方法。
【請求項３】
前記移動局の受信性能に応じて、前記無通信時間を変更することを特徴とする請求項１記載の移動通信方法。
【請求項４】
前記移動局と前記通信する基地局との前記無通信時間を、前記他基地局と前記移動局間の無通信時間とすることを特徴とする請求項１記載の移動通信方法。
【請求項５】
前記移動局から通知された前記電波を測定する時間に関する通知に基づいて、前記基地局が、前記無通信時間を変更することを特徴とする請求項１記載の移動通信方法。
【請求項６】
移動局と前記移動局と通信する基地局間の無通信時間に、前記移動局が、前記通信する基地局以外の他基地局から受信する電波を測定する測定部と、
前記電波の測定が完了したか否かに応じて、前記無通信時間を変更する変更部と、
を有し、
前記変更部は、前記測定が完了し、かつ、第１の無通信時間が、測定時間に比べ大きすぎることを検出する閾値以下である場合、複数回前記電波を測定した時間の最大値に、測定時間よりも無通信時間が小さくなってしまうことを避けるために設けられたオフセット時間を加えた、前記第１の無通信時間よりも小さい第２の無通信時間を算出することを特徴とする移動通信システム。
【発明の詳細な説明】
【技術分野】
【０００１】
本発明は移動通信方法および移動通信システムに関し、特に、ハンドオーバ時において、移動局がコンプレストモードでの通信を行う移動通信方法および移動通信システムに関する。
【背景技術】
【０００２】
一般的に、携帯電話やＰＨＳ（Personal Handyphone System）等の移動局（移動端末機器）を用いた移動通信システムにおいては、通信中の移動局は、移動することにより現在通信を行っている基地局から離れてしまう可能性があるため、新たな基地局に通信を切り替えることで通信を継続する手法（ハンドオーバ手法）がとられている。
【０００３】
この方法においては、各基地局からの下り信号を移動局で測定し、受信状況に応じて基地局側に新たな基地局へのハンドオーバを依頼する。
ところで、通信中の移動局は、ハンドオーバの際に、同期確立等のため、通信中でない他の基地局からの電波を測定しなくてはならない。そのため、他の基地局の電波を測定するために、コンプレストモード（Compressed Mode）という手法を用いることがある。
【０００４】
図１１は、コンプレストモードを説明する図である。
コンプレストモードでは、送信情報を何らかの方法で圧縮し、通信中の基地局との通信を一時的に無通信状態とする区間（ＧＡＰ）を作ることで、他の基地局の電波を測定している。すなわち、通常時（非Compressed Mode時）において送信すべきフレームとは異なり、一時的にデータを無通信状態の前後に送信することで、他の基地局の電波を測定する。この無通信状態が続く時間を無通信時間という。この動作においては、基地局から移動局にＧＡＰの幅やタイミングを通知している。
【非特許文献１】3GPP TS 25.212 V7.6.0 (2007-09) 3rd Generation Partnership Project; Technical Specification Group Radio Access Network; Multiplexing and channel coding (FDD)(Release 7) 4.4章 http://www.3gpp.org/ftp/Specs/archive/25＿series/25.212/
【非特許文献２】3GPP TS 25.215 V7.3.0 (2007-09) 3rd Generation Partnership Project; Technical Specification Group Radio Access Network; Physical layer - Measurements (FDD)(Release 7) 6章 http://www.3gpp.org/ftp/Specs/archive/25＿series/25.215/
【発明の開示】
【発明が解決しようとする課題】
【０００５】
前述したように、コンプレストモードを用いてハンドオーバを行う場合、基地局は、ＧＡＰを作るためにＧＡＰの前後でデータを圧縮して送信する。このため、ＧＡＰの前後では下り送信パワーを増大したり、他のユーザの信号の送信を減らしたりすることで、通信の品質を保持している。
【０００６】
しかしながら、このＧＡＰを大きくし過ぎると、セルのキャパシティの過剰な減少を引き起こす。また、ユーザ情報転送プレーン（U-Plane）データの送信が遅れるため、スループットの低下を引き起こす。
【０００７】
一方、このＧＡＰを小さくし過ぎると、ハンドオーバ先の基地局を探すことができずに、通信が切断されてしまう恐れがある。
本発明はこのような点に鑑みてなされたものであり、通信の品質を向上させる移動通信方法および移動通信システムを提供することを目的とする。
【課題を解決するための手段】
【０００８】
上記目的を達成するために、以下に示す移動通信方法が提供される。
この移動通信方法は、ハンドオーバ時において、移動局が通信中の基地局との無通信区間を備えており、無通信区間における無通信時間の過不足を検出するステップと、過不足の検出結果に基づいて、無通信時間を移動局が必要とする測定時間に変更するステップとを有する。
【０００９】
このような移動通信方法によれば、無通信区間における無通信時間の過不足が検出され、過不足の検出結果に基づいて、無通信時間が、移動局が必要とする測定時間に変更される。
【発明の効果】
【００１０】
本発明によれば、通信の品質を向上させることができる。
【発明を実施するための最良の形態】
【００１１】
以下、本発明の実施の形態を、図面を参照して詳細に説明する。
まず、本発明の概要について説明し、その後、実施の形態を説明する。
図１は、本発明の概要を示す図である。
【００１２】
移動通信システム１は、移動局２と複数の基地局３ａ、３ｂとを備えている。
ここで、基地局３ａは、移動局２が現在通信中の基地局であり、基地局３ｂは、ハンドオーバ先の基地局である。
【００１３】
移動局２は、ハンドオーバ時において、通信中の基地局３ａとの通信の際に、無通信区間における無通信時間の過不足を検出し、その過不足検出結果を基地局３ａに通知する。
基地局３ａは、過不足検出結果に基づいて、新たな無通信時間を算出し、移動局２に通知する。
【００１４】
移動局２は、通知された無通信時間に基づいて、移動局２が必要とする測定時間に無通信時間を変更する。
このような移動通信システム１によれば、ハンドオーバ時において、移動局２により、無通信時間の過不足が検出され、その過不足検出結果が基地局３ａに通知される。基地局３ａにより、過不足検出結果に基づいて、新たな無通信時間が算出され、移動局２に通知される。移動局２により、通知された無通信時間に基づいて、移動局２が必要とする測定時間に無通信時間が変更される。
【００１５】
なお、図１に示した概要に限定されず、基地局３ａが、無通信時間の過不足を検出するようにしてもよいし、また、移動局２が過不足検出結果に基づいて、新たな無通信時間を算出するようにしてもよい。
【００１６】
以下、本発明の実施の形態を説明する。
図２は、実施の形態の移動通信システムを示すブロック図である。
移動通信システム１０は、ＬＴＥ（Long Term Evolution）／３Ｇシステムであり、コアネットワーク（ＣＮ）１１と、基地局１２ａ、１２ｂと、移動局１３ａ、１３ｂとを有している。
【００１７】
基地局１２ａ、１２ｂは、それぞれ等しい構成をなしており、コアネットワーク１１に接続されている。
基地局１２ａは、電波が届く範囲（通信可能な範囲）を示すセル１４ａ、１４ｂを有している。また、基地局１２ｂは、セル１４ｃ、１４ｄを有している。
【００１８】
移動局１３ａ、１３ｂは、それぞれ基地局１２ａまたは基地局１２ｂと通信を行っている。そして、例えば、移動局１３ａが、基地局１２ａが有するセル１４ｂの境界に移動した場合や、その他の原因により、移動局１３ａに対する基地局１２ａからの電波が弱くなると、そのままでは通信できなくなる恐れがある。そのため、電波が弱くなるかまたは弱くなる前に、基地局１２ｂにハンドオーバを行う。この際、ＧＡＰの長さを規定する時間（以下、「ＧＡＰ幅」と言う）が、後述する最適なＧＡＰ幅になるように調整する。
【００１９】
以下、移動局１３ａ、１３ｂを区別しないときは、単に「移動局１３」と表記する。
次に、基地局１２ａ、１２ｂの機能について説明するが、代表的に基地局１２ａの機能について説明する。
【００２０】
図３は、基地局の機能を示すブロック図である。
基地局１２ａは、主制御部１２１と、無線ＩＦ（Interface）１２２と、対移動局通信機能部１２３と、対ＣＮ通信機能部１２４と、対他基地局通信機能部１２５と、ＧＡＰ幅算出部１２６と、データベース１２７とを有している。
【００２１】
主制御部１２１は、コアネットワーク１１や基地局１２ｂ（他の基地局）や、移動局１３との通信を制御する。具体的には、移動局１３へのコンプレストモードの起動および移動局１３へのＧＡＰ幅の通知を対移動局通信機能部１２３に指示するとともに、無線ＩＦ１２２へのコンプレストモードの設定、データベース１２７からのＧＡＰ幅の読み込み・書き込み処理、ＧＡＰ幅算出部１２６へのＧＡＰ幅の算出の指示、ハンドオーバ先の基地局１２ｂの決定、ハンドオーバ時の対移動局通信機能部１２３、対ＣＮ通信機能部１２４、および対他基地局通信機能部１２５へのハンドオーバ制御を主に行う。
【００２２】
無線ＩＦ１２２は、主制御部１２１からの指示に従って符号化／復号化や、変復調等の無線処理を行い、移動局１３とのコンプレストモードを実行する。
対移動局通信機能部１２３は、移動局１３との通信を行う機能を備えており、主制御部１２１からの指示に従って移動局１３（指示された移動局）との間で、制御信号（ＲＲＣ：Radio Resource Control）のやりとりを行う。ここで、ＲＲＣとは移動局１３と基地局１２ａとの間で制御を行うためのプロトコル名称である。
【００２３】
対ＣＮ通信機能部１２４は、コアネットワーク１１との通信を行う機能を備えており、主制御部１２１からの指示に従ってコアネットワーク１１との制御信号（Ｓ１ＡＰ）のやりとりを行う。
【００２４】
対他基地局通信機能部１２５は、基地局１２ｂとの通信を行う機能を備えており、主制御部１２１からの指示に従って基地局１２ｂとの制御信号（Ｘ２ＡＰ）のやりとりを行う。
【００２５】
Ｘ２ＡＰは、ＬＴＥシステムにおける基地局１２ａと基地局１２ｂとの間の通信を行うための制御プロトコル名称であり、Ｓ１ＡＰは、ＬＴＥシステムにおけるコアネットワーク１１と基地局１２ａとの間、またはコアネットワーク１１と基地局１２ｂとの間で通信を行うための制御プロトコル名称である。
【００２６】
ＧＡＰ幅算出部１２６は、主制御部１２１からの情報に基づいて、後述する最適なＧＡＰ幅を算出し、主制御部１２１に通知する機能を備えている。
データベース１２７には、移動局１３ａ、１３ｂの機種を識別する機種情報と、機種毎のＧＡＰ幅とが関連づけられたテーブルが格納されている。
【００２７】
次に、移動局１３の機能を説明する。
以下、基地局１２ａ、１２ｂを区別しないときは、単に「基地局１２」と表記する。
図４は、移動局の機能を示すブロック図である。
【００２８】
移動局１３は、主制御部１３１と、無線ＩＦ１３２と、対基地局通信機能部１３３と、測定機能部１３４とを有している。
主制御部１３１は、対基地局通信機能部１３３が受信する基地局１２からの指示に従って、コンプレストモードの起動、ＧＡＰ幅の設定、測定結果の基地局１２への通知、測定機能部１３４への測定の指示を行う。
【００２９】
無線ＩＦ１３２は、主制御部１３１からの指示に従って、符号化／復号化や変復調等の無線処理を行う。
対基地局通信機能部１３３は、基地局１２との通信を行う機能を備えており、主制御部１３１からの指示に従った基地局１２との制御信号（ＲＲＣ）のやりとりを行う。
【００３０】
測定機能部１３４は、主にＧＡＰ幅の過不足の測定、他の基地局１２からの受信電波の測定を行う機能を備えており、主制御部１３１の指示に従って、測定結果を主制御部１３１に通知する。
【００３１】
次に、移動通信システム１０の動作を簡単に説明する。
図５は、移動通信システムの動作を示すシーケンス図である。
前述したように、移動局１３と基地局１２との間の通信は、ＲＲＣによって行われる。
【００３２】
基地局１２は、まず、コンプレストモードを起動するため、ＲＲＣ：Measurement Control信号を移動局１３に送信する（ステップＳ１）。これにより、コンプレストモードでの測定に必要なＧＡＰ幅を含む各種情報が基地局１２から移動局１３に通知される。
【００３３】
通知を受けた移動局１３は、指示に従ってコンプレストモードを起動し測定を開始する。
移動局１３は、測定に際してＧＡＰ幅の過不足を検出し（ステップＳ２）、ＧＡＰ幅の過不足を検出すると、その検出結果をＲＲＣ：Measurement Report信号を用いて基地局１２に通知する（ステップＳ３）。なお、ＧＡＰ幅の過不足の検出処理については、後に詳述する。
【００３４】
通知を受けた基地局１２は、検出結果に基づいて最適なＧＡＰ幅を算出する最適値算出処理を行い（ステップＳ４）、ＲＲＣ：Measurement Control信号を使用して再度、ＧＡＰ幅を含む情報を移動局１３に通知する（ステップＳ５）。なお、ＧＡＰ幅の最適値算出処理については、後に詳述する。
【００３５】
通知を受けた移動局１３は、算出結果に従ってコンプレストモードでのＧＡＰ幅を変更し（ステップＳ６）、測定を継続する。また、基地局１２は、データベース１２７に格納されている、今回通信した移動局１３の機種情報に関連づけられたＧＡＰ幅を、ステップＳ４にて求めたＧＡＰ幅に変更する（ステップＳ６）。
【００３６】
以上で処理を終了する。
次に、ＧＡＰ幅の過不足の検出処理について詳しく説明する。
検出処理に際し、移動局１３は、以下（１）〜（６）のパラメータを用いる。
【００３７】
（１）ＧＡＰ幅（ｗ）
（２）ＧＡＰ幅過剰閾値（ｘ）
（３）測定時間（ｔ）
（４）測定回数（ｎ）
（５）ＧＡＰ幅過不足測定回数（Ｎ）
（６）最大測定時間（ｔｍａｘ）
図６は、ＧＡＰ幅過剰閾値を説明する図である。
【００３８】
ＧＡＰ幅過剰閾値（ｘ）は、ＧＡＰ幅（ｗ）が測定時間（ｔ）に比べ大きすぎることを検出するための閾値である。ＧＡＰ幅過剰閾値（ｘ）は、ＧＡＰ幅（ｗ）に依存する値をとり、例えばＧＡＰ幅（ｗ）の３分の１（ｘ＝ｗ／３）に設定される。
【００３９】
測定回数（ｎ）は、コンプレストモードの測定回数を示すパラメータである。
ＧＡＰ幅過不足測定回数（Ｎ）は、コンプレストモードの測定回数を規定するために予め用意された値をとるパラメータである。
【００４０】
最大測定時間（ｔｍａｘ）は、ＧＡＰ幅過不足測定回数（Ｎ）における測定時間（ｔ）の最大値を示すパラメータである。
なお、ＧＡＰ幅過剰閾値（ｘ）およびＧＡＰ幅過不足測定回数（Ｎ）は、基地局１２が移動局１３に通知するようにしてもよいし、移動局１３が予め持っていてもよい。
【００４１】
図７は、過不足の検出処理を示すフローチャートである。
検出を開始する際に、移動局１３は、測定回数（ｎ）および最大測定時間（ｔｍａｘ）を初期化（ｎ＝０、ｔｍａｘ＝０）する（ステップＳ１１）。
【００４２】
次に、コンプレストモードの測定を一度実施し、測定により得られた測定時間（ｔ）を記憶し、測定回数（ｎ）をカウントアップ（ｎ＝ｎ＋１）する（ステップＳ１２）。
測定実施後、測定時間（ｔ）がＧＡＰ幅（ｗ）よりも長いか、すなわち、ＧＡＰ幅（ｗ）内で測定時間（ｔ）の測定が完了したか（測定できたか）否かを判断する（ステップＳ１３）。
【００４３】
測定時間（ｔ）がＧＡＰ幅（ｗ）よりも長い場合、すなわち、測定が完了しなかった場合（ステップＳ１３のＹｅｓ）、基地局１２にＧＡＰ幅（ｗ）が不足している旨および不足時間（ｔ−ｗ）を通知する（ステップＳ１４）。その後、ステップＳ１１に移行し、ステップＳ１１以降の動作を引き続き行う。
【００４４】
一方、測定時間（ｔ）がＧＡＰ幅（ｗ）以下の場合、すなわち、測定が完了した場合（ステップＳ１３のＮｏ）、測定時間（ｔ）がＧＡＰ幅過剰閾値（ｘ）以下であるか否かを判断する（ステップＳ１５）。
【００４５】
測定時間（ｔ）がＧＡＰ幅過剰閾値（ｘ）以下である場合（ステップＳ１５のＹｅｓ）、ＧＡＰ幅（ｗ）が測定時間（ｔ）に比べ（非常に）大きいとみなし、基地局１２にＧＡＰ幅が過剰である旨および過剰時間（ｗ−ｔ）を通知する（ステップＳ１６）。その後、ステップＳ１１に移行し、ステップＳ１１以降の動作を引き続き行う。
【００４６】
測定時間（ｔ）がＧＡＰ幅過剰閾値（ｘ）より大きい場合（ステップＳ１５のＮｏ）、今回の測定時間（ｔ）がこれまでの測定の最大測定時間（ｔｍａｘ）よりも大きいか否かを判断する（ステップＳ１７）。
【００４７】
今回の測定時間（ｔ）が最大測定時間（ｔｍａｘ）以下の場合（ステップＳ１７のＮｏ）、ステップＳ１９に移行する。
今回の測定時間（ｔ）が最大測定時間（ｔｍａｘ）よりも大きい場合（ステップＳ１７のＹｅｓ）、今回の測定時間（ｔ）を最大測定時間（ｔｍａｘ）として記憶する（ｔｍａｘ＝ｔ）（ステップＳ１８）。
【００４８】
次に、測定回数（ｎ）がＧＡＰ幅過不足測定回数（Ｎ）に達したか否かを判断する（ステップＳ１９）。
測定回数（ｎ）がＧＡＰ幅過不足測定回数（Ｎ）に達していない場合、すなわち、（ｎ＜Ｎ）の場合（ステップＳ１９のＮｏ）、ステップＳ１２に移行し、ステップＳ１２以降の動作を引き続き行う。
【００４９】
測定回数（ｎ）がＧＡＰ幅過不足測定回数（Ｎ）に達した場合、すなわち、（ｎ＝Ｎ）の場合（ステップＳ１９のＹｅｓ）、最大測定時間（ｔｍａｘ）とＧＡＰ幅（ｗ）とを比較する（ステップＳ２０）。
【００５０】
ＧＡＰ幅（ｗ）と最大測定時間（ｔｍａｘ）とが等しい場合（ステップＳ２０のＮｏ）、ステップＳ１１に移行し、ステップＳ１１以降の動作を引き続き行う。
一方、ＧＡＰ幅（ｗ）よりも最大測定時間（ｔｍａｘ）が小さい場合（ステップＳ２０のＹｅｓ）、要調整である旨および差分時間（ｗ−ｔｍａｘ）を基地局１２に通知する（ステップＳ２１）、その後、ステップＳ１１に移行し、ステップＳ１１以降の動作を引き続き行う。
【００５１】
次に、基地局１２のＧＡＰ幅の最適値算出処理を説明する。
図８は、基地局のＧＡＰ幅の最適値算出処理を示すフローチャートである。
基地局１２は、移動局１３より通知を受信すると（ステップＳ３１）、通知内容に応じてＧＡＰ幅が不足であるのか過剰であるのか要調整であるのかの判断を行う（ステップＳ３２）。
【００５２】
不足であった場合（ステップＳ３２の不足）、ＧＡＰ幅（ｗ）と受け取った不足時間（ｔ−ｗ）とオフセット（α）とから新規ＧＡＰ幅（ｗｎｅｗ（＝ｗ＋（ｔ−ｗ）＋α））を算出（ステップＳ３３）する。なお、この新規ＧＡＰ幅（ｗｎｅｗ）は、ＧＡＰ幅（ｗ）よりも大きな値となる。
【００５３】
なお、オフセット（α）は、移動局１３の測定時間（ｔ）よりもＧＡＰ幅（ｗ）が小さくなってしまうことを避けるために設けられたパラメータであり、例えば基地局１２に予め用意されている。
【００５４】
過剰であった場合（ステップＳ３２の過剰）、ＧＡＰ幅（ｗ）と過剰時間（ｗ−ｔ）とオフセット（α）とから新規ＧＡＰ幅（ｗｎｅｗ（＝ｗ−（ｗ−ｔ）＋α））を算出する（ステップＳ３４）。なお、この新規ＧＡＰ幅（ｗｎｅｗ）は、ＧＡＰ幅（ｗ）よりも小さな値となる。
【００５５】
要調整であった場合（ステップＳ３２の要調整）、ＧＡＰ幅（ｗ）と差分（ｗ−ｔｍａｘ）とオフセット（α）とから新規ＧＡＰ幅（ｗｎｅｗ（＝ｗ−（ｗ−ｔｍａｘ）＋α））を算出する（ステップＳ３５）。なお、この新規ＧＡＰ幅（ｗｎｅｗ）は、ＧＡＰ幅（ｗ）よりも小さな値となる。
【００５６】
算出された新規ＧＡＰ幅を最適なＧＡＰ幅として、移動局１３に通知する（ステップＳ３６）。
また、ＧＡＰ幅過剰閾値（ｘ）を基地局１２が通知している場合は、新規ＧＡＰ幅（ｗｎｅｗ）に合わせてＧＡＰ幅過剰閾値（ｘ）を算出し、新規ＧＡＰ幅（ｗｎｅｗ）を移動局１３に通知する際（ステップＳ３４）に、新規ＧＡＰ幅（ｗｎｅｗ）に対応するＧＡＰ幅過剰閾値（ｘ）もあわせて通知する。この値は、例えば新規ＧＡＰ幅（ｗｎｅｗ）の３分の１（ｘ＝ｗｎｅｗ／３）である。
【００５７】
ところで、これまでは移動局１３の機種（種類）毎の受信性能（測定能力）の違いによるＧＡＰ幅の違いについては特に説明しなかったが、移動局１３の機種によっては最適なＧＡＰ幅が異なる場合がある。以下、基地局１２が、移動局１３の機種毎の最適なＧＡＰ幅を記憶し、移動局１３に初期値として通知する処理（ＧＡＰ幅の通知処理）を説明する。
【００５８】
図９は、ＧＡＰ幅の通知処理を示すフローチャートである。
まず、基地局１２は、通信に際し、移動局１３の発呼処理において、移動局１３またはコアネットワーク１１から移動局１３の機種情報を入手する（ステップＳ４１）。
【００５９】
基地局１２は、コンプレストモード起動時（図５のステップＳ１）に、入手した機種情報に対応する移動局１３のＧＡＰ幅をデータベース１２７から取得し、そのＧＡＰ幅（初期値）を移動局１３に通知する（ステップＳ４２）。但し、入手した機種情報に対応する移動局１３のＧＡＰ幅がデータベース１２７に存在しない場合は、移動局１３の機種に依存しないデフォルトのＧＡＰ幅を通知する。そして、入手した機種情報と通知したＧＡＰ幅とを関連づけてテーブルに記憶する。
【００６０】
その後、移動局１３のＧＡＰ幅の過不足の検出処理によって、移動局１３からＧＡＰ幅の過不足情報（図７のステップＳ１４、Ｓ１６により得られる情報）が通知された場合（ステップＳ４３）、図８にて説明した最適値算出処理によって得られた新規ＧＡＰ幅を、データベース１２７のテーブルの、該当する移動局１３のＧＡＰ幅の欄に上書きする（ステップＳ４４）。
【００６１】
このようにして、機種毎の最適なＧＡＰ幅を更新することができる。
次に、ハンドオーバ時の移動局１３の最適なＧＡＰ幅を、ハンドオーバ元の基地局１２ａからハンドオーバ先の基地局１２ｂに引き継ぐ方法を説明する。
【００６２】
図１０は、ハンドオーバ時の処理を示すシーケンス図である。
まず、移動局１３が、基地局１２ａと通信中の状態でハンドオーバ先を検出した場合（ステップＳ５１）、移動局１３は、ＲＲＣ：Measurement Report等の制御信号を用いて測定結果を基地局１２ａに通知し（ステップＳ５２）、ハンドオーバの依頼を行う。
【００６３】
基地局１２ａは、移動局１３からの制御信号に基づいて、ハンドオーバ先の基地局１２ｂを決定し（ステップＳ５３）、Ｘ２ＡＰ：Handover Request信号またはＳ１ＡＰ：Handover Request信号をコアネットワーク１１経由で送信する。なお、ここではコアネットワーク１１の図示を省略している。
【００６４】
本信号送信時に、基地局１２ａは、ハンドオーバ先である基地局１２ｂに対して、ＧＡＰ幅を通知する。これにより、ハンドオーバ処理が実施される（ステップＳ５５）。この処理は従来公知の方法で行うことができるため、詳しい説明を省略する。
【００６５】
その後、通常のハンドオーバ処理が完了すると、移動局１３は基地局１２ａとの通信を切断し、基地局１２ｂとの通信を行う。ハンドオーバ先の基地局１２ｂ配下でコンプレストモードを起動する場合、ハンドオーバ時に引き継いだ最適なＧＡＰ幅を移動局１３に通知する（ステップＳ５６）。
【００６６】
その後、最適なＧＡＰ幅での測定が実施される（ステップＳ５７）。
以上述べたように、本実施の形態の移動通信システム１０によれば、ＧＡＰ幅を測定時間と比較することにより、ＧＡＰ幅が過剰な場合は、ＧＡＰ幅を小さな値とすることで、ＧＡＰ幅の前後の基地局１２からの下り送信電力の増加を抑制することができる。これにより、セルのキャパシティの改善およびスループットの改善を図ることができる。また、ＧＡＰ幅が不足していた場合は、ＧＡＰ幅を大きな値とすることで、ハンドオーバの失敗を回避することができる。従って、通信の品質を向上させることができる。
【００６７】
また、ＧＡＰ幅過剰閾値を設けることにより、測定時間がＧＡＰ幅以下、かつ、閾値より大きい状態が続く場合は、即座にＧＡＰ幅を変更せず、複数回コンプレストモードが実行された後に、必要に応じてＧＡＰ幅を小さな値とするようにしたので、ＧＡＰ幅が測定時間に対して僅かに長い場合にＧＡＰ幅が変更されることを防止することができ、基地局１２および移動局１３の処理負荷を低減することができる。
【００６８】
また、移動局１３の機種の性能によりＧＡＰ幅が異なる場合においても移動局１３の測定性能にあわせた最適なＧＡＰ幅を得ることができる。
また、通信開始の時点から最適なＧＡＰ幅で通信を開始することができる。
【００６９】
また、ハンドオーバ時にも最適なＧＡＰ幅を通知することで、最適なＧＡＰ幅での測定を実施することができる。
なお、本実施の形態では、ＬＴＥ／３Ｇシステムを例にとって説明したが、本発明が適用できるシステムはこれに限定されない。
【００７０】
以上、本発明の移動通信方法および移動通信システムを、図示の実施の形態に基づいて説明したが、本発明はこれに限定されるものではなく、各部の構成は、同様の機能を有する任意の構成のものに置換することができる。また、本発明に、他の任意の構成物や工程が付加されていてもよい。
【００７１】
また、本発明は、前述した実施の形態のうちの、任意の２以上の構成（特徴）を組み合わせたものであってもよい。
【図面の簡単な説明】
【００７２】
【図１】本発明の概要を示す図である。
【図２】実施の形態の移動通信システムを示すブロック図である。
【図３】基地局の機能を示すブロック図である。
【図４】移動局の機能を示すブロック図である。
【図５】移動通信システムの動作を示すシーケンス図である。
【図６】ＧＡＰ幅過剰閾値を説明する図である。
【図７】過不足の検出処理を示すフローチャートである。
【図８】基地局のＧＡＰ幅の最適値算出処理を示すフローチャートである。
【図９】ＧＡＰ幅の通知処理を示すフローチャートである。
【図１０】ハンドオーバ時の処理を示すシーケンス図である。
【図１１】コンプレストモードを説明する図である。
【符号の説明】
【００７３】
１、１０  移動通信システム
２、１３、１３ａ、１３ｂ  移動局
３ａ、３ｂ、１２、１２ａ、１２ｂ  基地局
１１  コアネットワーク（ＣＮ）
１４ａ〜１４ｄ  セル
１２１、１３１  主制御部
１２２、１３２  無線ＩＦ
１２３  対移動局通信機能部
１２４  対ＣＮ通信機能部
１２５  対他基地局通信機能部
１２６  ＧＡＰ幅算出部
１２７  データベース
１３３  対基地局通信機能部
１３４  測定機能部
【図１】
0005012416.tif 000002
【図２】
0005012416.tif 000003
【図３】
0005012416.tif 000004
【図４】
0005012416.tif 000005
【図５】
0005012416.tif 000006
【図６】
0005012416.tif 000007
【図７】
0005012416.tif 000008
【図８】
0005012416.tif 000009
【図９】
0005012416.tif 000010
【図１０】
0005012416.tif 000011
【図１１】
0005012416.tif 000012